(57)【要約】【課題】施工が簡単であり、コストを低減させることができ、点検が容易であり、さらには再利用をすることができる防水層端部の保護金具を提供する。【解決手段】建物の屋上に施工される防水層２０のパラペット内側面における立ち上がり端部２０ａを当該パラペットＰに固定するとともに、前記防水層端部２０ａからの雨水の侵入を防止する防水層端部２０ａの保護金具１。前記防水層２０に当接される第１側面２ａと、この第１側面２ａの一方の縁から延設された第２側面２ｂとからなる長尺の押さえ金具２と、この押さえ金具２の第２側面２ｂに着脱自在に固定される長尺の水切り金具３とを備えている。  【選択図】      図１
2008274674.tif 000002
【特許請求の範囲】
【請求項１】
建物の屋上に施工される防水層のパラペット内側面における立ち上がり端部を当該パラペットに固定するとともに、前記立ち上がり端部からの雨水の侵入を防止する防水層端部の保護金具であって、
前記防水層に当接される第１側面と、この第１側面の一方の縁から延設された第２側面とからなる長尺の押さえ金具と、
この押さえ金具の第２側面に着脱自在に固定される長尺の水切り金具と
を備えたことを特徴とする防水層端部の保護金具。
【請求項２】
前記水切り金具が、前記押さえ金具の第２側面に当接される支持面と、この支持面の一方の縁から、当該支持面との間に鈍角をなすように延設された傾斜面とからなる、断面略への字状の金具である請求項１に記載の防水層端部の保護金具。
【請求項３】
前記押さえ金具の第２側面には、前記水切り金具を押さえ金具に固定するボルト又はネジを挿通するための第１開口が形成されており、
前記水切り金具の支持面には、前記第１開口に対応する位置に、前記ボルト又はネジを挿通するための第２開口が形成されており、且つ
前記第１開口が、前記押さえ金具の長手方向に直交する方向に平行な長孔である請求項１〜２のいずれかに記載の防水層端部の保護金具。
【請求項４】
前記押さえ金具の第２側面には、前記水切り金具を押さえ金具に固定するボルト又はネジを挿通するための第１開口が形成されており、
前記水切り金具の支持面には、前記第１開口に対応する位置に、前記ボルト又はネジを挿通するための第２開口が形成されており、且つ
前記第２開口が、前記水切り金具の長手方向に直交する方向に平行な長孔である請求項１〜２のいずれかに記載の防水層端部の保護金具。
【請求項５】
前記水切り金具が蝶ナットにより押さえ金具に固定されている請求項３〜４のいずれかに記載の防水層端部の保護金具。
【発明の詳細な説明】
【技術分野】
【０００１】
本発明は防水層端部の保護金具に関する。さらに詳しくは、建物の屋上に施工される防水層の端部を保護する防水層端部の保護金具に関する。
【背景技術】
【０００２】
雨露をしのぐことが建物の最も大きな機能であることから、屋根の雨仕舞は建物の設計及び施工上非常に重要である。鉄筋コンクリート構造や鉄骨構造の建物では、ほとんどの場合陸屋根（水平な屋根）が採用されており、この陸屋根にアスファルト防水や高分子ルーフィング防水などの防水工法が施工される。
【０００３】
ところで屋上からの雨漏りは、経年変化によって防水層自体が劣化し、この防水層を破って建物の躯体に達した雨水が当該躯体のクラックを経由して屋内に至ることもあるが、防水層の端部から雨水が当該防水層と躯体との間に侵入し、この雨水が躯体のクラックを経由して屋内に至るケースの方が多い。
【０００４】
そこで、従来、陸屋根の周囲を取り囲むように形成されたパラペット内側面における防水層の立ち上がり端部を当該パラペットに固定するとともに、前記立ち上がり端部からの雨水の侵入を防止する防水層端部の保護金具が用いられている。
図４は、このような防水層端部の保護金具の一例の使用状態を示す断面説明図である。図４において、Ｐは陸屋根の周囲を取り囲むように形成されたパラペットであり、前記陸屋根に施工されたアスファルト防水層などの防水層２０の端部は、パラペットＰの内側面に沿って立ち上げられている。
【０００５】
保護金具２１は、防水層２０の立ち上がり端部をパラペットＰの内側面に固定する押さえ金具２２と、この押さえ金具２２の上方においてパラペットＰの内側面に固定される水切り金具２３とからなっている。押さえ金具２２及び水切り金具２３は、いずれもアルミニウムの押出成形品であり、アンカーボルトなどの固定手段２５によってパラペットＰの内側面に固定される。なお、２４は、防水層２０の端縁付近に設けられたシール材である。
【発明の開示】
【発明が解決しようとする課題】
【０００６】
前記保護金具２１では、押さえ金具２２及び水切り金具２３を別々にパラペットＰに固定しているので、各金具をパラペットＰに固定する固定手段用の下穴も別々に形成する必要がある。コンクリート製のパラペットＰにドリルなどで下穴を開ける作業は、手間がかかるとともに、騒音を発生する。
また、屋上防水は一定期間毎に更新する必要があるが、その際、アンカーボルトなどで固定された押さえ金具２２及び水切り金具２３は、取り外すときにどうしても変形してしまうので、材質的に問題はなくても再利用することができない。前記押さえ金具２２及び水切り金具２３は、高価なアルミニウム製であり、省コスト及び省資源の点において問題であった。
さらに、従来の保護金具２１では、水切り金具２３がアンカーボルトなどでパラペットＰに固定されていることから、シール材２４の点検を行うことが現実的に不可能（シール材２４の点検をしようとすると、水切り金具２３をパラペットＰから剥がす必要があり、非常に手間がかかるだけでなく、剥がすときに水切り金具２３が変形してしまうので、新しい水切り金具２３を用いる必要があり、コストが高くつく）であり、シール材２４の劣化具合を把握することができない。このため、劣化したシール材２４部分から雨水が浸入するのを防ぐことができない。
【０００７】
本発明は、このような事情に鑑みてなされたものであり、施工が簡単であり、コストを低減させることができ、点検が容易であり、さらには再利用をすることができる防水層端部の保護金具を提供することを目的としている。
【課題を解決するための手段】
【０００８】
本発明の防水層端部の保護金具は、建物の屋上に施工される防水層のパラペット内側面における立ち上がり端部を当該パラペットに固定するとともに、前記立ち上がり端部からの雨水の侵入を防止する防水層端部の保護金具であって、
前記防水層に当接される第１側面と、この第１側面の一方の縁から延設された第２側面とからなる長尺の押さえ金具と、
この押さえ金具の第２側面に着脱自在に固定される長尺の水切り金具と
を備えたことを特徴としている。
【０００９】
本発明の防水層端部の保護金具では、防水層の立ち上がり端部をパラペットに固定する押さえ金具に水切り用の金具を着脱自在に取り付けている。したがって、前記押さえ金具固定用の下穴だけをパラペットに形成すればよく、従来に比べて下穴形成の手間を減らすことができるので、施工コストを削減することができる。また、下穴の数が少なくなった分、騒音発生の機会が減少するとともに、躯体を傷つける箇所を減らすことができる。
【００１０】
また、水切り金具は、ボルトやネジなどによって押さえ金具に着脱自在に取り付けられているので、防水層の張替えを行う際に、簡単に押さえ金具から取り外して、再利用することができる。その結果、コストダウンを図るとともに、省資源化に寄与することができる。
さらに、水切り金具を押さえ金具から簡単に取り外すことができるので、シール材の点検を容易に行うことができる。これにより、シール材の劣化具合を把握することができ、万一、シール材が劣化した場合に、劣化した部分のシールを簡単にやり直すことができ、シール部分からの雨水の浸入を確実に防止することができる。
【００１１】
前記水切り金具が、前記押さえ金具の第２側面に当接される支持面と、この支持面の一方の縁から、当該支持面との間に鈍角をなすように延設された傾斜面とからなる、断面略への字状の金具であるのが好ましい。この場合、傾斜面先端の縁部をパラペットの内側面に当接する構成とすることができ、押さえ金具の垂直方向における取り付け位置の誤差を吸収することができる。その結果、取り付け位置がそれほど厳密でない分、施工が容易となる。
【００１２】
前記押さえ金具の第２側面には、前記水切り金具を押さえ金具に固定するボルト又はネジを挿通するための第１開口が形成されており、
前記水切り金具の支持面には、前記第１開口に対応する位置に、前記ボルト又はネジを挿通するための第２開口が形成されており、且つ
前記第１開口が、前記押さえ金具の長手方向に直交する方向に平行な長孔であるのが好ましい。この場合、前記長孔を利用することで、水切り金具の前後方向（水切り金具の長手方向に直交する方向であり、パラペットの内側面に対して接離する方向）の位置を簡単に調節することができる。これにより、厚さが異なる防水層に対しても、同一仕様の保護金具を用いることができるので、製造コストを低減させることができる。
【００１３】
また、前記押さえ金具の第２側面には、前記水切り金具を押さえ金具に固定するボルト又はネジを挿通するための第１開口が形成されており、
前記水切り金具の支持面には、前記第１開口に対応する位置に、前記ボルト又はネジを挿通するための第２開口が形成されており、且つ
前記第２開口が、前記水切り金具の長手方向に直交する方向に平行な長孔であるのが好ましい。この場合も、前記と同様、長孔を利用することで、水切り金具の前後方向の位置を簡単に調節することができる。これにより、厚さが異なる防水層に対しても、同一仕様の保護金具を用いることができるので、製造コストを低減させることができる。
【００１４】
前記水切り金具が蝶ナットにより押さえ金具に固定されているのが好ましい。この場合、特別な工具を用いることなく、手で簡単にネジの固定及び解除を行うことができる。
【発明の効果】
【００１５】
本発明の防水層端部の保護金具によれば、施工が簡単であり、コストを低減させることができ、点検が容易であり、さらには再利用をすることができる。
【発明を実施するための最良の形態】
【００１６】
以下、添付図面を参照しつつ、本発明の防水層端部の保護金具（以下、単に「保護金具」ともいう）の実施の形態を詳細に説明する。
図１は、本発明の一実施の形態に係る保護金具１の分解斜視図であり、図２は、図１に示される保護金具１の使用状態を示す断面説明図である。この保護金具１は、建物の屋上に施工される防水層２０のパラペット内側面における立ち上がり端部２０ａを当該パラペットＰに固定するとともに、前記防水層の立ち上がり端部２０ａからの雨水の侵入を防止するのに用いられ、前記防水層２０をパラペット内側面に押圧して固定する押さえ金具２と、防水層端部２０ａからの雨水の侵入を防止する水切り金具３とからなっている。
【００１７】
前記押さえ金具２は、防水層２０に当接される第１側面２ａと、この第１側面２ａの一方の縁から当該第１側面２ａに対して垂直方向に延設された第２側面２ｂとからなっている。この押さえ金具２は、長さ１〜２ｍ程度の断面略Ｌ字状の長尺部材であり、例えばアルミニウムを押出成形することにより得ることができる。第１側面２ａの両端付近及び中央の３箇所には、押さえ金具２をパラペットＰに固定するためのアンカーボルトなどの固定手段２５を挿通させる固定孔４が穿設されている。また、同様に第２側面２ｂの両端付近及び中央の３箇所には、前記水切り金具３を押さえ金具２に固定するためのネジ５ａを挿通させるための長孔（第１開口）６が形成されている。この長孔６は、押さえ金具２の長手方向に直交する方向に平行になるように形成されている。
【００１８】
前記水切り金具３は、前記押さえ金具２の第２側面２ｂに当接される支持面３ａと、この支持面３ａの一方の縁から、当該支持面３ａとの間に鈍角をなすように延設された傾斜面３ｂとからなっている。この水切り金具３も、前記押さえ金具２と同じく、長さ１〜２ｍ程度の長尺部材であり、例えばアルミニウムを押出成形することにより得ることができる。前記支持面３ａの両端付近及び中央の３箇所には、前記ネジ５ａを挿通させるための孔（第２開口）７が形成されている。
【００１９】
水切り金具３の断面形状は略への字状を呈しており、本実施の形態では、その短辺である支持面３ａが、押さえ金具２の第２側面２ｂに前記ネジ５ａ及び蝶ナット５ｂによって着脱自在に取り付けられる。したがって、水切り金具３固定用の下穴をパラペットＰに形成する必要がなく、押さえ金具２固定用の下穴だけをパラペットＰに形成するだけで、保護金具１をパラペットＰに固定させることができる。その結果、押さえ金具２及び水切り金具３のそれぞれについて下穴を形成する必要があった従来の保護金具に比べて、下穴形成の手間を減らすことができるので、施工コストを削減することができる。また、下穴の数が少なくなった分、騒音発生の機会が減少するとともに、躯体を傷つける箇所を減らすことができる。
【００２０】
前記水切り金具３は、その傾斜面３ｂ先端の縁部が、パラペットＰの内側面に当接するように、その幅ｗ及び傾斜角αが設定されており、押さえ金具２の垂直方向における取り付け位置の若干の誤差は吸収できるようになっている。その結果、押さえ金具２の取り付け位置がそれほど厳密でない分、施工が容易となる。
【００２１】
また、水切り金具３は、蝶ナット５ｂによって押さえ金具２に着脱自在に取り付けられているので、防水層２０の張替えを行う際に、簡単に押さえ金具２から取り外して、再利用することができる。その結果、コストダウンを図るとともに、省資源化に寄与することができる。さらに、水切り金具３を押さえ金具２に固定する手段として、蝶ナット５ｂを用いているので、特別な工具を用いることなく、手で簡単にネジの固定及び解除を行うことができる。
さらに、水切り金具３を押さえ金具２から簡単に取り外すことができるので、シール材の点検を容易に行うことができる。これにより、シール材の劣化具合を把握することができ、万一、シール材が劣化した場合に、劣化した部分のシールを簡単にやり直すことができ、シール部分からの雨水の浸入を確実に防止することができる。
【００２２】
また、本実施の形態では、押さえ金具２の第２側面２ｂにおけるネジ５ａ挿通用の開口を、当該押さえ金具２の長手方向に直交する方向に平行な長孔６としているので、水切り金具３の前後方向（水切り金具３の長手方向に直交する方向であり、パラペットＰの内側面に対して接離する方向）の位置を簡単に調節することができる。これにより、厚さが異なる防水層２０に対しても、同一仕様の保護金具１を用いることができるので、製造コストを低減させることができる。
【００２３】
前述した保護金具１は、例えばつぎのようにしてパラペットＰに取り付けることができる。
まず、ドリルを用いて、パラペット内側面に沿って立ち上げられた防水層端部２０ａを貫通してパラペットＰの所定位置に下穴を形成する。ついで、押さえ金具２の第１側面２ａを前記防水層端部２０ａの表面に当接させた状態で、当該第１側面２ａの固定孔４を挿通させたアンカーボルトを前記下穴内に打ち込むことにより、押さえ金具２をパラペットＰに固定させる。
【００２４】
つぎに、押さえ金具２の第２側面２ｂよりも上にはみ出ている防水層端部２０ａの先端を、当該第２側面２ｂの表面と面一になるようにカッターで切断する。
ついで、切断された防水層端部２０ａの縁部を覆うようにして、シリコーンやウレタン樹脂などからなるシール材２４を設ける。その後、パラペットＰの天井面Ｐｃと押さえ金具２の第２側面２ｂとの間のスペース手前側から、傾斜面３ｂがパラペット側を向くように水切り金具３を挿入し、ついで押さえ金具２の第２側面２ｂの長孔６及び水切り金具３の支持面３ａの孔７を挿通するようにネジ５ａをセットする。そして、前記傾斜面３ｂの先端がパラペットＰの内側面に当接するように、水切り金具３をパラペットＰ側に移動させ、当接した位置で前記ネジ５ａに螺合させた蝶ナット５ｂを固定する。これにより、保護金具１のパラペットＰへの取付けが完了する。
【００２５】
図３は、本発明の他の実施の形態に係る保護金具１１の使用状態を示す断面説明図である。この保護金具１１は、図１〜２に示される保護金具１と、押さえ金具１２の構成は同じであるが、水切り金具１３の構成が異なっている。すなわち、保護金具１１の水切り金具１３は、押さえ金具１２の第２側面１２ｂに当接される支持面１３ａと、この支持面１３ａの一方の縁から、当該支持面１３ａに対して垂直方向に延設された立設面１３ｂと、前記支持面１３ａの他方の縁から、前記立設面１３ｂと逆方向に延設された垂下面１３ｃとからなっている。この水切り金具１３では、前記立設面１３ｂと垂下面１３ｃとによって、防水層２０の立ち上がり端部２０ａ付近への雨水の侵入を防止している。
【００２６】
前記保護金具１１においても、水切り金具１３は、蝶ナット５ｂによって押さえ金具１２に着脱自在に固定される。したがって、防水層２０の張替えを行う際に、水切り金具１３を簡単に押さえ金具２から取り外して、再利用することができる。その結果、コストダウンを図るとともに、省資源化に寄与することができる。さらに、水切り金具１３を押さえ金具１２に固定する手段として、ネジ５ａ及び蝶ナット５ｂを用いているので、特別な工具を用いることなく、手で簡単にネジの固定及び解除を行うことができる。
また、押さえ金具１２の第２側面１２ｂに長孔が形成されており、水切り金具１３の前後方向（水切り金具１３の長手方向に直交する方向であり、パラペットＰの内側面に対して接離する方向）の位置を簡単に調節することができる。
【００２７】
なお、前記両実施の形態では、押さえ金具の第２側面におけるネジ５ａ挿通用の開口を長孔６としているが、水切り金具の支持面におけるネジ５ａ挿通用の開口を長孔としてもよい。この場合も、前記と同様、水切り金具の前後方向の位置を簡単に調節することができる。これにより、厚さが異なる防水層に対しても、同一仕様の保護金具を用いることができるので、製造コストを低減させることができる。また、位置調節の手段として、長孔に代えて、その長辺が、押さえ金具２、１２又は水切り金具３、１３の長手方向に直交する方向に平行な長方形の開口を用いることもできる。さらには、前記長孔や長方形の開口に代えて、押さえ金具２の第２側面２ｂの反パラペット側の縁部２ｂ１、又は水切り金具３の支持面３ａの反パラペット側の縁部３ａ１から、パラペットＰに近づく方向に切り込まれたスリットを用いることもできる。
【００２８】
また、水切り金具３を押さえ金具２に固定する手段は、前記ネジ５ａ及び蝶ナット５ｂに限定されるものではなく、両金具３、４を着脱自在に固定できるものであれば、ボルト及びナットや、クランプ機構など他の手段を適宜採用することができる。
【図面の簡単な説明】
【００２９】
【図１】本発明の保護金具の一実施の形態の分解斜視図である。
【図２】図１に示される保護金具の使用状態を示す断面説明図である。
【図３】本発明の保護金具の他の実施の形態の使用状態を示す断面説明図である。
【図４】従来の保護金具の使用状態を示す断面説明図である。
【符号の説明】
【００３０】
１      保護金具
２      押さえ金具
２ａ    第１側面
２ｂ    第２側面
３      水切り金具
３ａ    支持面
３ｂ    傾斜面
５ａ    ネジ
５ｂ    蝶ナット
６      長孔（第１開口）
７      孔（第２開口）
１１      保護金具
１２      押さえ金具
１３      水切り金具
２０      防水層
２０ａ    立ち上がり端部
２１      保護金具
２４      シール材
２５      固定手段
Ｐ      パラペット
【図１】
2008274674.tif 000003
【図２】
2008274674.tif 000004
【図３】
2008274674.tif 000005
【図４】
2008274674.tif 000006